(57)【要約】【課題】除湿と同時に乾燥空気が放出される空間における脱臭、除菌、アレルゲン物質の除去をする。安定して放電電極に水を供給する。【解決手段】除湿装置１に、一端部の吸込口２から吸込んだ空気を除湿手段３により除湿して乾燥することで乾燥空気を他端部の吐出口４から吐出する除湿経路５と、一端部が第２吸込口６となり且つ他端部が第２吐出口７となった上記除湿経路５とは別経路の第２経路８とを形成する。第２経路８に、空気中の水分を結露させて結露水を生成することで放電電極９に水を供給すると共に高電圧を印加することで放電電極９に供給した水を静電霧化して帯電微粒子水を生成する静電霧化装置１０を配置する。【選択図】図１
2008238017.tif 000002
【特許請求の範囲】
【請求項１】
除湿装置に、一端部の吸込口から吸込んだ空気を除湿手段により除湿して乾燥することで乾燥空気を他端部の吐出口から吐出する除湿経路と、一端部が第２吸込口となり且つ他端部が第２吐出口となった上記除湿経路とは別経路の第２経路とを形成し、上記第２経路に、空気中の水分を結露させて結露水を生成することで放電電極に水を供給すると共に高電圧を印加することで放電電極に供給した水を静電霧化して帯電微粒子水を生成する静電霧化装置を配置して成ることを特徴とする除湿装置。
【請求項２】
除湿装置に、一端部の吸込口から吸込んだ空気を除湿手段により除湿して乾燥することで乾燥空気を他端部の吐出口から吐出する除湿経路と、一端部が除湿経路の除湿手段の上流側に開口した入口となり且つ他端部が第２吐出口となった第２経路とを設け、上記第２経路に、空気中の水分を結露させて結露水を生成することで放電電極に水を供給すると共に高電圧を印加することで放電電極に供給した水を静電霧化して帯電微粒子水を生成する静電霧化装置を配置して成ることを特徴とする除湿装置。
【請求項３】
吐出口と第２吐出口とを隣接して設けて成ることを特徴とする請求項１又は請求項２記載の除湿装置。
【発明の詳細な説明】
【技術分野】
【０００１】
本発明は、静電霧化現象を利用して帯電微粒子水を生成する静電霧化装置を有する除湿装置に関するものである。
【背景技術】
【０００２】
従来から、吸込口から吸込んだ空気を除湿手段により除湿して乾燥空気として吐出口から吐出するようにした除湿装置が特許文献１等により知られている。
【０００３】
しかしながら、特許文献１に示されたような除湿装置においては、単に湿った空気を吸い込んで除湿して乾燥空気として送り出すようにしたものでしかなく、乾燥空気の脱臭、除菌、アレルゲン物質の除去、あるいは、乾燥空気が放出される空間における脱臭、除菌、アレルゲン物質の除去はできなかった。
【特許文献１】特開平８−１８９６６４号公報
【発明の開示】
【発明が解決しようとする課題】
【０００４】
本発明は上記の従来の問題点に鑑みて発明したものであって、湿った空気を除湿して乾燥空気として放出することができると同時に乾燥空気が放出される空間における脱臭、除菌、アレルゲン物質の除去ができ、また、静電霧化のために空気中の水分を結露させて結露水を生成することで放電電極に水を供給するに当って、効果的に安定して放電電極に水を供給することができる除湿装置を提供することを課題とするものである。
【課題を解決するための手段】
【０００５】
上記課題を解決するために本発明に係る除湿装置は、除湿装置１に、一端部の吸込口２から吸込んだ空気を除湿手段３により除湿して乾燥することで乾燥空気を他端部の吐出口４から吐出する除湿経路５と、一端部が第２吸込口６となり且つ他端部が第２吐出口７となった上記除湿経路５とは別経路の第２経路８とを形成し、上記第２経路８に、空気中の水分を結露させて結露水を生成することで放電電極９に水を供給すると共に高電圧を印加することで放電電極９に供給した水を静電霧化して帯電微粒子水を生成する静電霧化装置１０を配置して成ることを特徴とするものである。
【０００６】
このような構成とすることで、吸込口２から吸い込んだ空気を除湿手段３により除湿して乾燥空気として吐出口４から吐出することができる。また、第２吸込口６から吸い込まれた湿った空気を静電霧化装置１０に送り、湿度の高い空気中の水分を結露させて結露水を生成して放電電極９に供給すると共に高電圧を印加することで放電電極９に供給した水を静電霧化して帯電微粒子水を生成し、このようにして生成した帯電微粒子水を第２吐出口７から放出することで、上記乾燥空気の吐出と併用して、帯電微粒子水を放出して、除湿をして乾燥しようとする除湿対象空間に帯電微粒子水を放出して除湿対象空間内の殺菌、脱臭を行うことができる。特に、帯電微粒子水はナノメータサイズと小さく、除湿対象空間の壁面や除湿対象空間内に存在する物の表面から内部に浸透して殺菌、脱臭ができるので、防カビ効果が優れている。また、除湿装置１に静電霧化装置１０を設けたと言えども、除湿をするための除湿経路５とは別経路である第２経路８に静電霧化装置１０を配置しているので、第２吸込口６から吸い込んだ湿った空気を冷却して効果的に安定して結露水を発生させて放電電極９に供給でき、静電霧化を安定して行って安定して帯電微粒子水の生成ができる。
【０００７】
ここで、除湿装置１に静電霧化装置１０を設けるに当って、仮に、除湿経路５の除湿手段３の上流側に静電霧化装置１０を配置すると、発生させた帯電微粒子水が除湿手段３で除湿されて無くなってしまい除湿対象空間に放出することができず、また、除湿経路５の除湿手段３の下流側に静電霧化装置１０を配置すると、除湿後の乾燥空気であるため、乾燥空気を冷却しても十分な結露水が発生できず、安定して帯電微粒子水の生成ができないが、本発明においては、静電霧化装置１０を配置する第２経路８が除湿経路５とは別経路であるため、このような恐れがなく安定して帯電微粒子水を生成することができる。
【０００８】
また、除湿装置１に、一端部の吸込口２から吸込んだ空気を除湿手段３により除湿して乾燥することで乾燥空気を他端部の吐出口４から吐出する除湿経路５と、一端部が除湿経路５の除湿手段３の上流側に開口した入口１１となり且つ他端部が第２吐出口７となった第２経路８’とを設け、上記第２経路８’に、空気中の水分を結露させて結露水を生成することで放電電極９に水を供給すると共に高電圧を印加することで放電電極９に供給した水を静電霧化して帯電微粒子水を生成する静電霧化装置１０を配置して成ることを特徴とするものであってもよい。
【０００９】
このような構成とすることで、吸込口２から吸い込んだ空気を除湿手段３により除湿して乾燥空気として吐出口４から吐出することができる。また、除湿経路５の除湿手段３の上流側に開口した入口１１から吸い込まれた除湿をする前の湿った空気を静電霧化装置１０に送り、湿度の高い空気中の水分を結露させて結露水を生成して放電電極９に供給すると共に高電圧を印加することで放電電極９に供給した水を静電霧化して帯電微粒子水を生成し、このようにして生成した帯電微粒子水を第２吐出口７から放出することで、上記乾燥空気の吐出と併用して、帯電微粒子水を放出して、除湿をして乾燥しようとする除湿対象空間に帯電微粒子水を放出して除湿対象空間の殺菌、脱臭を行うことができる。特に、帯電微粒子水はナノメータサイズと小さく、除湿対象空間の壁面や除湿対象空間内に存在する物の表面から内部に浸透して殺菌、脱臭ができるので、防カビ効果が優れている。また、除湿装置１に静電霧化装置１０を設けたと言えども、除湿経路５の除湿手段３の上流側に開口した入口１１から第２経路８’に除湿前の湿った空気を吸い込んで第２経路８’に供給するので、第２吸込口６’から吸い込んだ湿った空気を冷却して効果的に安定して結露水を発生させて放電電極９に供給でき、静電霧化を安定して行って安定して帯電微粒子水の生成ができる。
【００１０】
ここで、除湿装置１に静電霧化装置１０を設けるに当って、仮に、除湿経路５の除湿手段３の上流側に静電霧化装置１０を配置した場合は、発生させた帯電微粒子水が除湿手段３で除湿されて無くなってしまい除湿対象空間に放出することができず、また、除湿経路５の除湿手段３の下流側に静電霧化装置１０を配置した場合は、除湿後の乾燥空気であるため、乾燥空気を冷却しても十分な結露水が発生できず、安定して帯電微粒子水の生成ができないが、本発明においては、除湿経路５の除湿手段３の上流側に開口した入口１１から第２経路８’に除湿前の湿った空気を吸い込んで第２経路８’に供給するので、このような恐れがなく安定して帯電微粒子水を生成することができる。
【００１１】
また、吐出口４と第２吐出口７とを隣接して設けることが好ましい。
【００１２】
このような構成とすることで、第２の吐出口７から放出する帯電微粒子水を、隣接する吐出口４から吐出する乾燥空気の空気流に載せて除湿対象空間に放出することができて、除湿対象空間の遠くまで帯電微粒子水を効果的に飛翔させることができる。
【発明の効果】
【００１３】
本発明は、上記のように構成したので、除湿対象空間の除湿ができると同時に乾燥空気が放出される除湿対象空間における脱臭、除菌、アレルゲン物質の除去ができ、また、静電霧化装置を除湿装置に設けると言えども、静電霧化装置を配置した第２経路が除湿経路と別であるので、除湿手段に影響されることなく、静電霧化のために空気中の水分を結露させて結露水を生成することで放電電極に水を供給するに当って、効果的に安定して放電電極に水を供給することができ、静電無化により安定して帯電微粒子水を生成できる。
【発明を実施するための最良の形態】
【００１４】
以下、本発明を添付図面に示す実施形態に基いて説明する。
【００１５】
図１、図２には本発明の一実施形態が示してある。除湿装置１には除湿経路５が設けてあり、該除湿経路５は一端部が吸込口２となり且つ他端部が吐出口４となっている。吐出口４にはルーバ４０が設けてある。
【００１６】
除湿装置１には除湿経路５の途中に除湿手段３と送風手段２６とが設けてある。
【００１７】
図１の実施形態では除湿経路５の途中に除湿室１８を設けると共に該除湿室１８に蒸発器１９と凝縮器２０を備えることで除湿手段３を構成してあるが、吸着剤により除湿手段３を構成してもよいが、以下の実施形態では。蒸発器１９と凝縮器２０を備えた例で説明する。
【００１８】
除湿室１８の底部には排水部２１が設けてあり、底部は排水部２１側程低くなるような傾斜面となっている。
【００１９】
除湿装置１内の下部には水溜め部１４が設けてあり、上記除湿室１８の底部に設けた排水部２１から流下した水を溜めるようになっている。
【００２０】
除湿経路５の除湿室１８よりも下流側に送風手段２６であるファンを収納する送風手段収納室２２が設けてあり、除湿室１８と送風手段収納室２２とは除湿室１８の下流側の下端部に設けた連通口２３で連通していて、除湿室１８で除湿された乾燥空気が連通口２３を経て送風手段収納室２２に流入するようになっている。
【００２１】
上記除湿装置１は送風手段２６を運転することで、除湿対象空間の湿った空気が吸込口２から吸い込まれ除湿手段３により除湿され、乾燥空気となって吐出口４から除湿対象空間内に返送されることで、除湿対象空間の除湿をする。
【００２２】
添付図面に示す実施形態では吸込口２から吸込まれた湿った空気は、蒸発器１９で熱交換されて加温され、凝縮器２０で冷やされて空気中の水分が結露水となって除去されることで乾燥空気となる。除湿により発生した凝縮水は排水部２１から水溜め部１４に流れて溜められる。水溜め部１４は除湿装置１に対して着脱自在となっていて、一定量の水が溜まると水溜め部１４を取り外して溜まった水を捨てるようになっている。
【００２３】
上記のような構成の除湿装置１には更に帯電微粒子水を生成して放出するための静電霧化装置１０が設けてある。
【００２４】
図１の実施形態においては、除湿装置１には一端部が第２吸込口６となり且つ他端部が第２吐出口７となった上記除湿経路５とは別経路の第２経路８が形成してある。
【００２５】
第２経路８の下流側、好ましくは第２吐出口７付近には静電霧化装置１０の少なくとも一部が配置してある。また、第２経路８にはファン３４が設けてある。
【００２６】
静電霧化装置１０は、放電電極９と、空気中の水分を結露水として生成することで放電電極９に水を供給するための冷却手段１２と、放電電極９に生成した結露水を静電霧化するために放電電極９に高電圧を印加するための高電圧印加部１３とを備えている。
【００２７】
図３には本発明に用いる静電霧化装置１０の概略構成図が示してある。図３に示す実施形態においてはペルチェユニット１５のような冷却手段１２により空気中の水分を冷却して結露水を生成することで放電電極９に水を供給するようになっている。
【００２８】
ペルチェユニット１５は、熱伝導性の高いアルミナや窒化アルミニウムからなる絶縁板の片面側に回路を形成してある一対のペルチェ回路板２７を、互いの回路が向き合うように対向させ、多数列設してあるＢｉＴｅ系の熱電素子２８を両ペルチェ回路板２７間で挟持すると共に隣接する熱電素子２８同士を両側の回路で電気的に接続させ、ペルチェ入力リード線２９を介してなされる熱電素子２８への通電により一方のペルチェ回路板２７側から他方のペルチェ回路板２７側に向けて熱が移動するように構成したものである。更に、上記一方の側のペルチェ回路板２７の外側には冷却部１６を接続してあり、また、上記他方の側のペルチェ回路板２７の外側には放熱部１７が接続してあり、実施形態では放熱部１７として放熱フィンの例が示してある。ペルチェユニット１５の冷却部１６には放電電極９の後端部が接続してある。
【００２９】
放電電極９は絶縁材料からなる筒体３０で囲まれており、筒体３０の周壁には筒体３０内外を連通する窓３０ａが設けてある。また、筒体３０の先端開口部にリング状をした対向電極２５が配設され、放電電極９の軸心の延長線上にリング状の対向電極２５のリングの中心が位置するように放電電極９と対向電極２５とが対向している。
【００３０】
上記のような構成の静電霧化装置１０は全体を第２経路８内に配置してもよく、あるいは、少なくとも一部を第２経路８内に配置してもよい。
【００３１】
図１、図２には静電霧化装置１０の一部である冷却部１６、放電電極９、筒体３０部分が第２経路８内に配置した例が示してあるが、放熱部１７は除湿経路５内に配置した例が示してある。つまり、本発明においては、少なくとも、放電電極９が第２経路８内に配置してある。
【００３２】
上記静電霧化装置１０は、ペルチェユニット１５に通電することで、冷却部１６が冷却され、冷却部１６が冷却されることで放電電極９が冷却され、空気中の水分を結露して放電電極９に水（結露水）を供給するようになっている。ここで、ファン３４を運転することで放電電極９の周囲、つまり、筒体３０内には第２経路８の第２吸込口６から湿った空気が流入するので、放電電極９をの周囲の空気を冷却して空気中の水分を結露させて安定して結露水を生成し、安定して静電霧化をして帯電微粒子水を生成することができる。
【００３３】
ここで、添付図の実施形態のように放熱部１７を除湿経路５内に配置すると、除湿経路５に設けた送風手段２６の能力が第２経路８に設けたファン３４の能力よりも大きく、除湿経路５を流れる送風量が多いので、放熱部１７における放熱量を多くして、効果的に冷却部１６を冷却することができる。
【００３４】
また、第２吐出口７は吐出口４に隣接して設けてあり、第２の吐出口７から放出する帯電微粒子水を、隣接する吐出口４から吐出する乾燥空気の空気流に乗せて除湿対象空間に放出することができて、除湿対象空間の遠くまで帯電微粒子水を効果的に飛翔させることができる。
【００３５】
次に、図４に基づいて本発明の他の実施形態につき説明する。本実施形態においては、除湿装置１に、一端部が除湿経路５の除湿手段３の上流側に開口した入口１１となり且つ他端部が第２吐出口７となった第２経路８’とを設け、第２経路８’に静電霧化装置１０の一部又は全部を配置したことに特徴があり、他の構成は前述の図１乃至図３に示す実施形態と同様であるので、重複する構成、作用の説明は省略する。
【００３６】
本実施形態においては、除湿装置１を運転して送風手段２６により吸込口２から湿った空気を除湿経路５に吸い込んで除湿手段３で除湿して乾燥空気として吐出口４から吐出するのに加え、吸込口２から吸い込まれた湿った空気の一部が除湿手段３の上流側で入口１１から第２経路８’に流れて静電霧化装置１０側に供給され、冷却部１６が冷却されることで放電電極９が冷却され、空気中の水分を結露して放電電極９に水（結露水）を供給するようになっている。
【００３７】
この実施形態においても、除湿装置１に静電霧化装置１０を設けたと言えども、除湿経路５の除湿手段３の上流側に開口した入口１１から第２経路８’に除湿前の湿った空気を吸い込んで第２経路８’に供給するので、入口１１から吸い込んだ湿った空気を冷却して効果的に安定して結露水を発生させて放電電極９に供給でき、静電霧化を安定して行って安定して帯電微粒子水の生成ができる。
【００３８】
ところで、除湿装置１に静電霧化装置１０を設けるに当って、仮に、除湿経路５の除湿手段３の上流側に静電霧化装置１０を配置した場合は、発生させた帯電微粒子水が除湿手段３で除湿されて無くなってしまい除湿対象空間に放出することができず、また、除湿経路５の除湿手段３の下流側に静電霧化装置１０を配置した場合は、除湿後の乾燥空気であるため、乾燥空気を冷却しても十分な結露水が発生できず、安定して帯電微粒子水の生成ができないが、上記いずれの実施形態においても、除湿手段３で除湿されない湿った空気を除湿装置１に設けた静電霧化装置１０の放電電極９の周囲に供給するので、安定して帯電微粒子水を生成することができることになる。
【００３９】
なお、上記いずれの実施形態においても、水溜め部１４の水位を検知する水位センサ（図示せず）設け、水溜め部１４の水位が所定の水位以上となると（つまり満水）になると除湿（除湿手段３、送風手段２６）をオフ、静電霧化装置１０をオンとなるように制御し、水溜め部１４が空〜満水までの場合は除湿（除湿手段３、送風手段２６）をオン、静電霧化装置１０をオンとなるように制御する。
【００４０】
なお、添付図面に示す実施形態では放電電極と対向電極との間に高電圧を印加して帯電微粒子水を生成する静電霧化装置１０の例を示したが、対向電極を設けない場合であってもよい。
【図面の簡単な説明】
【００４１】
【図１】本発明の一実施形態の断面図である。
【図２】同上の要部拡大断面図である。
【図３】同上に用いる静電霧化装置の概略構成図である。
【図４】本発明の他の実施形態の断面図である。
【符号の説明】
【００４２】
１  除湿装置
２  吸込口
３  除湿手段
４  吐出口
５  除湿経路
６  第２吸込口
７  第２吐出口
８  第２経路
８’  第２経路
９  放電電極
１０  静電霧化装置
【図１】
2008238017.tif 000003
【図２】
2008238017.tif 000004
【図３】
2008238017.tif 000005
【図４】
2008238017.tif 000006